(57)【要約】【課題】例えば、写真や映像などの撮影で一般的に用いられている反射板である発泡素材の板状の単体板同士を容易に連結分離でき、大きな反射面を効率的につくることができる発泡ボード連結クリップを提供する。【解決手段】長片、短片の略方形の板材に曲げ加工を施し、それを組み合わせ略「コ」の字状の挟持部材をつくる。この挟持部材は「コ」の字開口部に向け幅が狭くなるように狭窄させ、途中からは挟持部先端が基端部両辺より外側に位置するように反対に緩やかに折り返す。この挟持部材２つを蝶番を介し互いに連結する。【選択図】図５
0003180022.tif 000002
【実用新案登録請求の範囲】
【請求項１】
互いに対向する長片及び短片を有するクリップ状の挟持部材を２つ備え、この２つの挟持部材が蝶番によって互いに連結されている発泡ボード連結クリップ。
【請求項２】
上記長片及び短片で挟まれる空間が、挟持部材の基端部から各挟持部の先端方向に向かって狭くなっている請求項１に記載の発泡ボード連結クリップ。
【請求項３】
上記長片及び短片の途中に屈曲部を有し、各挟持部の先端が、上記基端部の両辺よりも外側に位置する請求項２に記載の発泡ボード連結クリップ。
【請求項４】
上記短片の先端が、上記長片の屈曲部と略同じ高さに位置する請求項３に記載の発泡ボード連結クリップ。
【考案の詳細な説明】
【技術分野】
【０００１】
本考案は、ボード連結に関するものである。
【背景技術】
【０００２】
例えば、写真や映像などの撮影現場では、光を反射させ陰影を調整し最適な写りとなるよう発泡素材のボードを反射板として使用している。
【０００３】
このような反射板は、撮影する被写体により大きさを変えることがある。例えば人物や家具などの大きな被写体では、その大きさをカバーする大きな反射面が必要となることが多く、図１、aは黒太線部が粘着テープを示すように、単体の発泡ボード２枚を貼り合わせ使用している。その使用形態は、自立するよう「く」の字状にし、被写体のそばに置くのが一般的である。
【考案の概要】
【考案が解決しようとする課題】
【０００４】
従来の粘着テープを使用した発泡ボードの貼り合わせにはいくつかの条件が必要で、当初は失敗も多く決して安くはない発泡ボードを何枚も無駄にしながら貼り方を習得していく。
その条件の１つが粘着テープの貼りかたに関するもので、発泡ボード同士が蝶番でつなぎ合わされたように各単体面が可動すること。これは、反射板を「く」の字状にし、三脚などの止め物がなくとも自立できるようにするためであり、これにより被写体との距離を自在に変えることができ、かつ開く角度も調整できることから、開き具合による反射光量の調整も可能となる。
２つ目は、つなぎ合わせた発泡ボードが自重や多少の捻れ、振動、風等で乖離せず丈夫であること。
【０００５】
一見簡単にも思えるこの貼り合わせ作業は実は難易度が高く、それ相当の経験やノウハウを必要とする。というのも発泡素材は脆弱であり粘着テープと密着し発泡素材がボロボロと引き剥がされる危険性があるため何度も貼り直すことができないからである。つまり一回で的確に貼る技術が求められる。
そして、その脆弱性ゆえに一度貼り合わせたものは撮影終了後粘着テープを剥がし元の単体ボードに戻すことはほぼない。しかし、撮影現場では貼り合わせていない単体の発泡ボードが必要となることも多々あり、そのために貼り合わせに使用したものと同形状の発泡ボードを別途何枚も用意しているのが現状である。
【課題を解決するための手段】
【０００６】
互いに対向する長片及び短片を有するクリップ状の挟持部材２つを備え、この２つの挟持部材が蝶番によって互いに連結され、長片及び短片で挟まれる空間は、挟持部材の基端部から各挟持部の先端方向に向け狭くなっていき、長片及び短片の途中に屈曲部を有し、各挟持部の先端が、挟持部材基端部の両辺よりも外側に位置し、短片の先端が上記長片の屈曲部と略同じ高さに位置するという特徴を持つ。
【考案の効果】
【０００７】
そこで本考案はこの点に着目し、誰にでも簡単に発泡ボード同士を連結分離できるようにし、保管スペースや経済的な負を軽減させるボード連結クリップを提供する。
【図面の簡単な説明】
【０００８】
【図１】粘着テープを使用し貼り合わせた状態の使用図
【図２】曲げ加工前の長短板材の図
【図３】曲げ加工後の板材側面図
【図４】長片と短片を組み合わせ略「コ」の字の挟持部材側面図
【図５】正面図斜視図
【図６】平面図
【図７】折たたんだ平面図
【図８】挟持部材弾性エネルギー説明側面図
【図９】本考案クリップを装着しようとしている図
【図１０】小さい発泡ボードでの本考案クリップ使用図
【図１１】大きい発泡板での本考案クリップ使用図
【図１２】３枚以上の複数枚を連結した図
【考案を実施するための形態】
【０００９】
以下図面に基づき本考案の実施形態を説明する。
図２に示すような略方形で高さのみ異なる板材を使用し、この板材は上部両端に円弧、下部には３カ所の細長い欠成部を有している。上部の円弧は安全上、下部の穴は屏風蝶番との接合用ボルト3本を通すためで、細長く欠成させているのはデザイン上のものである。板材は曲げやすさと剛性を考慮した金属板が適し、屏風蝶番は本考案物全体の剛性にも係るため片面が４×８cm程度の大きく丈夫なものが望ましい。
【００１０】
図３のように上記長短２枚の金属板を同様に屈曲させるが、挟持部材底部となるdの幅は、使用する発泡ボードの厚みか、もしくはそれよりも若干広い程度とし、屈曲させる角度は挟持部で挟まれる空間が先端に向け徐々に狭くなるようeのように若干鋭角にする。その長短板材を一対とし図４のように組み合わせ略「コ」の字状の挟持部材を作る。なお、板材基端部を屈曲させる角度eの目安は、狭窄部p幅を基端部h幅の略２／３弱となるようにする。また、発泡ボードの挿入をスムーズにするため挟持部先端は、fのように基端部側面より外側になるよう緩やかに屈曲させ挿入誘導部sを形成させる。
【００１１】
上記挟持部材２つを作成し、図５のように屏風蝶番を介しお互いを連結する。その際、対向する挟持部材は、図６本考案クリップ平面図のように逆対称になるように接合する。これは図７が本考案クリップが折り畳まれた状態の平面図で、斜線部は発泡ボード断面を示し、波線は発泡ボードの一部省略を示し、丸で囲まれた範囲は該当箇所を示すのように、短片先端が長片上部屈曲部内に入り込みそれぞれの先端部同士が干渉しないようにするためであり、これによりボードを連結したまま折り畳んでもコンパクトに収納することができる。
【００１２】
図８は発泡ボードが挟持部材に挿入され保持された状態を示す平面図で、斜線部が発泡ボード断面を示し、波線は発泡ボードの一部省略を示し、b、cは発泡ボード挿入前、bb、ccは挿入後の挟持部材の状態を示し、前夫々の方向線は発泡ボードと挟持部材の弾性エネルギーを概略的に示すように、押し込まれた発泡ボードは狭窄部g点、o点を作用点としてその部分周辺が押し込まれ収縮するが基端部では略元の形状に戻り、挟持部材は逆に開口部がbb、ccのようにg点、o点を作用点として押し広げられる。これにより夫々の部材には概略的に示した方向線r、tのような元の形に戻ろうとする弾性エネルギーが生じ、この相反するエネルギーを利用し発泡ボードを挟み込み保持している。挟み込む力が弱くなってきた際は、挟持部材先端を手で持ち開口部の幅を狭める方向に適度に潰してあげることで挟み込む力が復活する。
【００１３】
連結クリップの脱着は、図９のように、発泡ボードを重ねた状態で上から押し込むだけであり、外すのも引き抜くだけであると言うように容易な動作で抜き差しできる。また、撮影用反射板の多くは、「白、黒」や「白、銀」や「白、金」と言うように表と裏を異色にし、反射率や色味などを被写体や撮影イメージに応じ変えられるようにしておくのが一般的であり、その意味で屏風蝶番を使用している本考案は、折り返すだけで表面と裏面を容易に変えることができ、迅速な対応が求められる撮影現場で有効に作用する。
【実施例】
【００１４】
図１０で示すように、衣料等の比較的小さい被写体では反射板も小さくてすむことから本考案クリップはkのように１個で対応でき、図１１のように着物などで大きな発泡ボードを使用する際にはl（エル）のように本考案クリップを発泡ボードの上下に一つずつ使用し安定させる。
【００１５】
図１２のようにさらに大きな反射面が必要なときは、mのように適切な数の本考案クリップを使用し、３×６や４×８サイズの発泡ボードを複数枚以上連結することができる。また図９のうように本考案の装着は発泡ボードを重ねた状態で、上から挿し込むだけという単純かつ短時間で装着できることから、反射板だけではなく簡易的な間仕切りや展示スペースのブースとしても利用が期待できる。
【符号の説明】
【００１６】
a.：粘着テープ
b.：長片
bb：発泡ボード挿入後の挟持部bの状態
c.：短片
cc：発泡ボード挿入後の挟持部cの状態
d.：基端部底部の幅
e.：基端部曲げ角度
f.：挟持部先端が基端部側面より外側となる
g.：短片作用点
h.：挟持部材断面空間最大幅
I.：屏風蝶番
J.：挟持部材先端が干渉しない
k.l.m：本考案連結クリップ
o.：長片作用点
p.：挟持部材断面空間最小幅
r：発泡ボード弾性エネルギー
s.：挿入誘導部
t：挟持部材弾性エネルギー
【図１】
0003180022.tif 000003
【図２】
0003180022.tif 000004
【図３】
0003180022.tif 000005
【図４】
0003180022.tif 000006
【図５】
0003180022.tif 000007
【図６】
0003180022.tif 000008
【図７】
0003180022.tif 000009
【図８】
0003180022.tif 000010
【図９】
0003180022.tif 000011
【図１０】
0003180022.tif 000012
【図１１】
0003180022.tif 000013
【図１２】
0003180022.tif 000014